(57)【要約】【課題】反射光の方向の違いにより引き起こされる明暗の縞を改善し、可視性を高める。【解決手段】タッチ表示装置は、第１基板、第２基板、複数のタッチ電極パターン、第１偏光素子を備える。第２基板と第１基板は対向して設置される。これらのタッチ電極パターンは複数の配線と複数のタッチ電極を有する。前記複数の配線は前記複数のタッチ電極に電気的に接続され、且つ前記第１基板に設置されると同時に、前記複数の配線は第１方向に沿って配置される。第１偏光素子は、第１基板に設置され、且つ第１吸収軸を有する。前記複数の配線のうちの１つは複数の配線セグメントを接続して形成され、前記複数の配線セグメントのうちの１つは複数のセグメントを接続して形成される。前記複数のセグメントは同じ側に向かってそれぞれベクトルを形成し、前記複数のベクトルはベクトル和を有し、前記ベクトル和と第１吸収軸との間に形成される角度は０度より大きく、且つ２０度以下である。【選択図】図３Ａ
2016035744.tif 000002
【特許請求の範囲】
【請求項１】
第１基板と、
前記第１基板に対向して設置される第２基板と、
複数の配線と複数のタッチ電極を有する複数のタッチ電極パターンと、
前記第１基板に設置すると同時に、第１吸収軸を有する第１偏光素子とを備え、
前記複数の配線は、前記複数のタッチ電極に電気的接続され、且つ前記第１基板に設置されると同時に、第１方向に沿って配置され、
前記複数の配線のうちの１つは、複数の配線セグメントを接続することで形成され、前記複数の配線セグメントのうちの１つは、複数のセグメントを接続することで形成され、
各前記セグメントは、同じ側に向かって、それぞれ１つのベクトルを形成し、前記複数のベクトルはベクトル和を有し、前記ベクトル和と前記第１吸収軸との間に形成される角度は０度以上、２０度以下であること、を特徴とするタッチ表示装置。
【請求項２】
前記ベクトル和と前記第１吸収軸との間に形成される角度は０度以上、１０度以下であることを特徴とする請求項１に記載のタッチ表示装置。
【請求項３】
前記複数の配線はそれぞれ折り曲げ線を形成することを特徴とする請求項１に記載のタッチ表示装置。
【請求項４】
前記第１基板、前記第２基板、及び前記第１基板と前記第２基板との間に挟まれて設置される液晶層は、液晶表示パネルを形成し、前記液晶表示パネルは少なくとも１つのサブピクセルを有し、且つ各前記配線セグメントの長さは、前記サブピクセルが第２方向に沿った幅の３倍値と特定値との間に設定されることを特徴とする請求項１に記載のタッチ表示装置。
【請求項５】
前記特定値は３５０μｍから７００μｍの範囲内に設定されることを特徴とする請求項４に記載のタッチ表示装置。
【請求項６】
前記複数の配線は、それぞれ周期的に配置される複数の配線セグメントを接続することで形成されることを特徴とする請求項１に記載のタッチ表示装置。
【請求項７】
前記第１偏光素子に設置される光学素子を更に備えることを特徴とする請求項１に記載のタッチ表示装置。
【請求項８】
前記光学素子は、４分の１波長板であることを特徴とする請求項７に記載のタッチ表示装置。
【請求項９】
前記複数の配線セグメントはそれぞれ少なくとも３本の延長方向の異なるセグメントを備えることを特徴とする請求項１に記載のタッチ表示装置。
【請求項１０】
第１基板、第２基板、及び前記第１基板と前記第２基板との間に挟まれて設置される液晶層から形成され、少なくとも１つのサブピクセルを有する液晶表示パネルと、
複数の配線と複数のタッチ電極を有する複数のタッチ電極パターンとを備え、
前記複数の配線は、前記複数のタッチ電極に電気的接続され、且つ前記第１基板に設置されると同時に、前記複数の配線は第１方向に沿って配置され、前記複数の配線のうちの１つは複数の配線セグメントを接続することで形成され、
各前記配線セグメントの長さは、前記サブピクセルの第２方向に沿った幅の３倍値と特定値との間に設定されること、を特徴とするタッチ表示装置。
【請求項１１】
前記特定値は３５０μｍから７００μｍの範囲内に設定されることを特徴とする請求項１０に記載のタッチ表示装置。
【請求項１２】
前記第１基板に設置されると共に、第１吸収軸を有する第１偏光素子を更に備え、前記複数の配線セグメンのうちの１つは複数のセグメントを接続することで形成され、前記複数のセグメントは、同じ側に向かって、それぞれ１つのベクトルを形成し、前記複数のベクトルはベクトル和を有し、前記ベクトル和と前記第１吸収軸との間に形成される角度は０度以上、２０度以下であることを特徴とする請求項１０に記載のタッチ表示装置。
【請求項１３】
前記ベクトル和と前記第１吸収軸との間に形成される角度は０度より大きく、且つ１０度以下であることを特徴とする請求項１２に記載のタッチ表示装置。
【請求項１４】
前記第１偏光素子に設置される光学素子を更に備えることを特徴とする請求項１２に記載のタッチ表示装置。
【請求項１５】
前記光学素子は、４分の１波長板であることを特徴とする請求項１４に記載のタッチ表示装置。
【請求項１６】
前記複数の配線セグメントはそれぞれ少なくとも３本の延長方向の異なるセグメントを備えることを特徴とする請求項１０に記載のタッチ表示装置。
【発明の詳細な説明】
【技術分野】
【０００１】
本発明は、タッチ表示装置に関し、特に、外嵌め式のタッチ表示装置に関するものである。
【背景技術】
【０００２】
科学技術が進歩し続けるにつれ、携帯電話、タブレット、超薄型ノートパソコン、及び衛星ナビゲーションなどの情報機器も新しい製品が出され続けている。通常、キーボード、またはマウスで入力、または情報機器を操作して制御する外に、タッチ技術を利用して情報機器を操作して制御することは、非常に直感的であり、且つ広く利用されている操作制御方法である。タッチ表示装置は使いやすくかつ直感的な入力操作インタフェースを有しているので、あらゆる年齢層のユーザが直接、指、またはタッチペンによって選択、操作したり、情報機器を操作して制御することができる。
【０００３】
従来のタッチ表示装置は、カラーフィルタ基板、液晶層、薄膜トランジスタ基板、タッチ感知構造、上偏光板と下偏光板を備える。液晶層はカラーフィルタ基板と薄膜トランジスタとの間に挟まれて設置され、タッチ感知構造はカラーフィルタ基板に設置され、下偏光板は、カラーフィルタ基板における薄膜トランジスタ基板から離れた側に設置され、上偏光板はタッチ感知構造に設置される。続いて、上偏光板にカバーガラス（cover glass）層を設置することで、外嵌め式（on cell）のタッチ表示装置を形成する。
【０００４】
従来のもう１つのタッチ表示装置は、有機発光ダイオード基板とタッチ感知構造、及び上偏光板を備える。タッチ感知構造は有機発光ダイオード基板に設置され、上偏光板はタッチ感知構造に設置される。続いて、上偏光板にカバーガラス層を設置することで、もう１つの外嵌め式のタッチ表示装置を形成する。
【０００５】
タッチ感知構造は、通常、複数の配線エリアと複数のタッチ感知エリアを交互に配置することにより形成される電極構造である。タッチ感知エリアは駆動電極と感知電極（ここでは、ＴｘとＲｘと称する）を備え、配線エリアは、それぞれタッチ制御回路に接続される複数の配線を備える。しかしながら、特定の視角（または強い光に照射される場合）において、タッチ感知エリアと配線エリアの電極パターン（patterns）とそのスリット（slit）の反射率は差異があるため、ユーザは反射光方向の違いによって引き起こされる明暗の縞を容易に視認してしまうので、タッチ表示装置の可視性が低減される（可視性の低減は、電極パターンが見えることに起因する）。
【０００６】
したがって、如何にして反射光の方向の違いによって引き起こされる明暗の縞を見え難くするように改善し、可視性を高めることのできるタッチ表示装置を提供するかが重要な課題の１つとなる。
【発明の概要】
【発明が解決しようとする課題】
【０００７】
上記の課題に鑑て、本発明の目的は、反射光の方向の違いによって引き起こされる明暗の縞を見え難くするように改善することで、可視性を高めることのできるタッチ表示装置を提供することを課題とする。
【課題を解決するための手段】
【０００８】
上記の目的を達するために、本発明に係るタッチ表示装置は、第１基板と、第２基板と、複数のタッチ電極パターン、及び第１偏光素子を備える。第２基板と第１基板は対向して設置される。これらのタッチ電極パターンは複数の配線と複数のタッチ電極を有し、これらの配線は、これらのタッチ電極に電気的に接続され、且つ前記第１基板に設置されると同時に、第１方向に沿って配置される。第１偏光素子は、第１基板に設置され、且つ第１吸収軸を有する。複数の配線のうちの１つは複数の配線セグメントを接続することで形成され、複数の配線セグメントのうちの１つは複数のセグメントを接続することで形成され、各セグメントは、同じ側に向かって、それぞれ１つのベクトルを形成し、これらのベクトルはベクトル和を有し、このベクトル和と第１吸収軸との間に形成される角度は０度以上、２０度以下である（本願明細書、特許請求の範囲等の記載において、特定の値「より大きいか等しい」状態については、特定の値「以上である」と表現し、また、特定の値「より小さいか等しい」状態については、特定の値「以下である」と表現する）。換言すれば、０度から２０度までの範囲である。
【０００９】
一実施例において、ベクトル和と第１吸収軸との間に形成される角度は０度以上、１０度以下である。換言すれば、０度から１０度までの範囲である。
【００１０】
一実施例において、前記複数の配線はそれぞれ折り曲げ線を形成する。
【００１１】
一実施例において、第１基板、第２基板、及び第１基板と第２基板との間に挟まれて設置される液晶層は、１つの液晶表示パネルを形成する。液晶表示パネルは少なくとも１つのサブピクセルを有し、且つ各配線セグメントの長さは、サブピクセルが第２の方向に沿った幅の３倍値と特定値との間に設定される。
【００１２】
一実施例において、特定値は３５０μｍから７００μｍの範囲内に設定される。
【００１３】
一実施例において、前記複数の配線は、それぞれ周期的に配置される複数の配線セグメントを接続することで形成される。
【００１４】
一実施例において、タッチ表示装置は、光学素子を更に備え、これは第１偏光素子に設置される。
【００１５】
一実施例において、光学素子は、４分の１波長板である。
【００１６】
一実施例において、前記複数の配線セグメントはそれぞれ少なくとも３本の延長方向の異なるセグメントを備える。
【００１７】
一実施例において、タッチ表示装置は、第２偏光素子を更に備え、第２偏光素子は、第２基板における第１基板から離れた側に設置される。第２偏光素子は第２吸収軸を有し、且つ第２吸収軸は第１吸収軸に直交する。
【００１８】
上記目的を達成するために、本発明に係るタッチ表示装置は、液晶表示パネルと複数のタッチ電極パターンを備える。液晶表示パネルは、第１基板、第２基板、及び第１基板と第２基板との間に挟まれて設置される液晶層より形成され、且つ液晶表示パネルは少なくとも１つのサブピクセルを有する。前記複数のタッチ電極パターンは複数の配線と複数のタッチ電極を有し、前記複数の配線は前記複数のタッチ電極に電気的に接続されると同時に、第１基板に設置され、且つ前記複数の配線は第１方向に沿って配置される。前記複数の配線のうちの１つは複数の配線セグメントを接続することで形成される。各配線セグメントの長さは、サブピクセルの第２方向に沿った幅の３倍値と特定値との間に設定される。
【００１９】
その一実施例において、特定値は３５０μｍから７００μｍの範囲内に設定される。
【００２０】
その一実施例において、タッチ表示装置は、第１偏光素子を更に備え、第１偏光素子は前記第１基板に設置され、且つ第１吸収軸を有する。前記複数の配線セグメントのうちの１つは複数のセグメントを接続することで形成され、前記複数のセグメントは、同じ側に向かって、それぞれ１つのベクトルを形成し、前記複数のベクトルはベクトル和を有し、前記ベクトル和と前記第１吸収軸との間に形成される角度は０度以上、２０度以下である。換言すれば、０度から２０度までの範囲である。
【００２１】
その一実施例において、ベクトル和と第１吸収軸との間に形成される角度は０度以上、１０度以下である。換言すれば、０度から１０度までの範囲である。
【００２２】
その一実施例において、第１偏光素子に設置される光学素子を更に備える。
【００２３】
その一実施例において、光学素子は、４分の１波長板である。
【００２４】
その一実施例において、複数の配線セグメントはそれぞれ少なくとも３本の延長方向の異なるセグメントを備える。
【発明の効果】
【００２５】
上記より、本発明のタッチ表示装置は、タッチ電極パターンの配線の配線セグメントにより形成されたベクトル和と第１偏光素子の第１吸収軸との間に形成される角度を、０度より大きいか等しく、且つ２０度より小さいか等しくする、即ち、０度から２０度までの範囲とすることにより、反射光を第１偏光素子に通過させた時、更に吸収しやすくすることができる。また、本発明のタッチ表示装置は、各配線セグメントの長さを、サブピクセルの第２方向に沿った幅の３倍値と特定値との間に設定するようにすることによって、反射光の方向を特定の方向のみに限定させず、配線セグメントからの反射光を人間視覚の比較的に敏感でない空間周波数（即ち、比較的に高い空間周波数である）に落とさせることができる。これによって、電極パターンとスリットの反射光線の明度や輝度を、いずれも人間の目が判別できる明度や輝度よりも低くすることができるため、タッチ表示装置の反射光の方向の違いによって引き起こされる明暗の縞を見え難くするように改善し、タッチ表示装置の可視性を更に向上させることができる。
【図面の簡単な説明】
【００２６】
【図１】本発明の好ましい実施例におけるタッチ表示装置の概略図である。
【図２Ａ】図１に示したタッチ表示装置のタッチ感知構造の上面図である。
【図２Ｂ】図２Ａに示したエリアＡの拡大図である。
【図３Ａ】タッチ感知構造において、１本の配線の複数の配線セグメントの接続状態を示す図である。
【図３Ｂ】１つの配線セグメントが形成したベクトルの概略図である。
【図３Ｃ】一実施例のタッチ感知構造において、一部の配線エリアと駆動感知エリアの概略図である。
【図４】人間の目の空間周波数に対する視覚感度と配線セグメントの関係図である。
【図５Ａ】異なる実施態様における配線セグメントの概略図である。
【図５Ｂ】異なる実施態様における配線セグメントの概略図である。
【図５Ｃ】異なる実施態様における配線セグメントの概略図である。
【図６】本発明の異なる実施態様におけるタッチ表示装置の概略図である。
【発明を実施するための形態】
【００２７】
関連する図面を参照しながら、本発明の好ましい実施例に係るタッチ表示装置を以下の通りに説明し、このうち同じ部材は同じ符号を付して説明する。
【実施例１】
【００２８】
図１と図２Ａを参照されたい。図１は本発明の好ましい実施例におけるタッチ表示装置１の概略図であり、図２Ａは図１に示すタッチ表示装置１のタッチ感知構造１３の上面図である。後の説明の理解を容易にするために、以下の図面では、第１方向Ｘ、第２方向Ｙ及び第３方向Ｚを表示し、第１方向Ｘ、第２方向Ｙ及び第３方向Ｚのうちの何れか２つは互いに垂直である。第１方向Ｘはタッチ表示装置１の走査線の延長方向に平行であり、第２方向Ｙはタッチ表示装置１のデータ線の延長方向に平行であり、第３方向Ｚはそれぞれ第１方向Ｘと第２方向Ｙに直交する別の方向である。しかし、その他の実施例において、第１方向Ｘと第２方向Ｙは必ずしも垂直でなく、両者間に形成される角度は、例えば、鋭角であるが、必ずしもこれに限定されない。
【００２９】
本実施例のタッチ表示装置１は外嵌め式タッチ表示装置であり、第１基板１１と、液晶層ＬＣと、第２基板１２と、タッチ感知構造１３と、第１偏光素子１４、及び第２偏光素子１５を備える。タッチ表示装置１は保護基板１６を更に備え、保護基板１６は、例えば、保護ガラス（cover lens）であるが、これに限定されるものではない。保護基板１６は、衝撃、または異物、湿気侵入からタッチ表示装置１を保護することができる。
【００３０】
第１基板１１と第２基板１２は対向して設置される。第１基板１１、または第２基板１２は例えば、ガラス、石英もしくはその類似物、プラスチック、ゴム、ガラス繊維、または他の高分子材料などの光透過性材料から成る。或いはまた、第１基板１１、または第２基板１２は例えば、金属−ガラス繊維複合板、金属−セラミック複合板、プリント回路基板、又はその他の材料などの非透光性材料から成るが、これに限定されない。本実施例において、第１基板１１と第２基板１２の材料はいずれも透光性を持つガラスを使用した場合を例とする。また、タッチ表示装置１は薄膜トランジスタアレイ、カラーフィルタアレイ及びブラックマトリクス層（図示しない）を更に備え、薄膜トランジスタアレイは第２基板１２に設置され、カラーフィルタアレイ、またはブラックマトリクス層は、第１基板１１、または第２基板１２に設置される。一実施例において、ブラックマトリクス層とカラーフィルタアレイはそれぞれ第１基板１１に設置されるが、その他の実施例において、ブラックマトリクス層、またはカラーフィルタアレイはそれぞれ第２基板１２に設置されることで、ＢＯＡ（black matrix on array）基板、またはＣＯＡ（color filter on array）基板とすることもできる。ただし、本発明はこれに限定されるものではない。液晶層ＬＣは第１基板１１と第２基板１２との間に挟まれて設置されると同時に、第１基板１１、第２基板１２、液晶層ＬＣ、薄膜トランジスタアレイ、及びカラーフィルタアレイは液晶表示パネルを形成する。液晶表示パネルはピクセルアレイを有し、ピクセルアレイは少なくとも１つのサブピクセル（subpixel。図示しない）を有する。ここにおいて、ピクセルアレイは複数のサブピクセルを有するものを例とする。また、タッチ表示装置１は複数の走査線と複数のデータ線（図示しない）を更に備える。前記複数の走査線と前記複数のデータ線は交差して設置されると同時に、例えば、互いに垂直に設置されることで、前記ピクセルアレイのエリアを定義する。
【００３１】
第１偏光素子１４は第１基板１１に設置され、第２偏光素子１５は、第２基板１２における第１基板１１から離れた側に設置される。第１偏光素子１４は第１吸収軸を有し、第２偏光素子１５は第２吸収軸を有し、且つ第２吸収軸は第１吸収軸に直交する。ここにおいて、第１偏光素子１４と第２偏光素子１５はそれぞれ偏光板であり、光線の偏光状態が吸収軸の方向と同じ場合は、光線は偏光板に吸収される。二者の各吸収軸が９０度ずれた偏光素子１４、１５を設けることで、バックライト光源は遮蔽される。同時に、電場の強度を制御することによって、液晶を偏向させることで、光線の偏光特性を変調して画像を表示する目的を達成することができる。
【００３２】
タッチ感知構造１３は第１基板１１に設置され、且つ複数のタッチ電極パターンを有する。これらのタッチ電極パターンは、図２Ａに示すように、それぞれ配線エリア１３１及び配線エリア１３１に隣接する駆動感知エリア１３２を有する。つまり、図２Ａに示すように、タッチ感知構造１３は、第１方向に沿って繰り返して設置された複数のタッチ電極パターンを備え、各タッチ電極パターンは１つの配線エリア１３１と駆動感知エリア１３２を備える。よって、駆動感知エリア１３２は、即ち、複数のタッチ電極（複数の駆動電極Ｔｘ及び複数の感知電極Ｒｘを備える。図２Ｂ参照。）が設置されるエリアであり、配線エリア１３１は、駆動感知エリア１３２のタッチ電極を制御回路基板１７（図２Ａ）に接続するための配線（導線）設置エリアである。タッチ感知構造１３のタッチ電極がタッチされた時、タッチ信号が生成され、このタッチ信号を制御回路基板１７に送信することで、対応する制御動作を実行させることができる。
【００３３】
図２Ｂを参照されたい。図２Ｂは図２Ａに示したエリアＡの拡大図である。図２Ｂは１つの配線エリア１３１と１つの駆動感知エリア１３２を表示し、ただし、図２Ｂに示した拡大図は単に例示的なものであり、実物の比率に基づいて拡大したものではない。また、本実施例のエリアＡは、制御回路基板１７に近いエリア（比較的に多い配線１３１１を有する）を示しており、例えば、タッチ感知構造１３の端部領域において制御回路基板１７から約３センチ内までのエリアであり、このエリア内では、配線の数量が比較的に多い。
【００３４】
駆動感知エリア１３２は、駆動電極Ｔｘ及び感知電極Ｒｘから形成された複数のタッチ電極を有する。配線エリア１３１は同じ側に向かって（例えば、エリアＡの下側に向かって、即ち、制御回路基板１７に向かって）延びる複数の配線１３１１を有し、これらの配線１３１１は、駆動電極Ｔｘ及び感知電極Ｒｘに電気的に接続され、且つ第１基板１１に設置されると同時に、第１方向Ｘに沿って設置される。
【００３５】
図３Ａと図３Ｂをそれぞれ参照されたい。図３Ａはタッチ感知構造１３内の１本の配線１３１１の複数の配線セグメントＰの接続状態を示す図であり、図３Ｂは１つの配線セグメントに形成されるベクトルの概略図である。ここにおいて、図３Ａは３つの配線セグメントＰの接続状態を示す。
【００３６】
これらの配線１３１１のうちの１つは、複数の配線セグメントＰを接続することで形成され、且つ１つの配線セグメントＰの長さは、サブピクセルの第２方向Ｙの幅に沿った３倍値と特定値との間に設定される。上記「特定値」は３５０μｍから７００μｍの範囲内に設定される。ここにおいて、好ましい特定値は、例えば、６１７μｍである。本実施例において、各配線１３１１はそれぞれ周期性を有するように配置された複数の配線セグメントＰを接続することで形成され、且つ各配線セグメントＰはいずれも複数本のセグメントを接続することで形成される。ここにおいて、「周期性」とは、各配線セグメントＰ内の配線がいずれも同じであることを指す。
【００３７】
各配線１３１１は１本の折り曲げ線（ターニングポイントを有する線）であり、このため、配線１３１１は鋸歯状に表示されている。具体的に言うと、各配線セグメントＰは複数の配線セグメントを接続することで形成される。本実施例において、１つの配線セグメントＰは２本のセグメントＰ１、Ｐ２を接続することで形成される。図３Ｂに示すように、セグメントＰ１、Ｐ２が同じ側に向かって（例えば、図２Ａにおけるタッチ感知構造１３の上方側、または、図２Ａにおいて制御回路基板１７に近い方向、即ち、下方側に向かって）それぞれベクトル［→Ｐ１］、［→Ｐ２］を形成する。なお、ベクトルやベクトル和の表記方法は、図３Ａや図３Ｂ中に示すように、通常、ローマ字等の文字の上部に横向きの矢符「→」を付記することにより表記するものであるが、特許出願の明細書等の文章において許容されている記載形式ではそのような表記方法は困難である。そのため、本願明細書等の文章中では、矢符「→」の後に前記ローマ字等の文字を記載し、それらの矢符及び文字を中括弧で囲って、［→Ｐ１］、［→Ｐ２］、［→ＰＳ］のように記載して、ベクトルやベクトル和を表記するものとする。ベクトルは大きさ（値）と方向を備え、大きさは、セグメントＰ１、Ｐ２の長さであり、セグメントＰ１、Ｐ２が一側に向かって延長する方向はこれらのセグメントＰ１、Ｐ２の方向とみなされる。よって、図３Ｂに示すように、セグメントＰ１、Ｐ２が備える長さ及びその延長方向は、それぞれベクトル［→Ｐ１］、ベクトル［→Ｐ２］と見なすことができる。これらのベクトル［→Ｐ１］、［→Ｐ２］のベクトル和はベクトル和［→ＰＳ］とみなすことができ、且つ本実施例のベクトル和［→ＰＳ］と第１偏光素子１４の第１吸収軸との間に形成される角度は、０度より大きいか等しく、且つ２０度より小さいか等しくされるものである。即ち、０度以上、２０度以下（換言すれば、０度から２０度までの範囲）とされるものである。より好ましくは、ベクトル和［→ＰＳ］と第１吸収軸との間に形成される角度は、０度より大きいか等しく、且つ１０度より小さいか等しくされるものである。即ち、０度以上、１０度以下（換言すれば、０度から１０度までの範囲）とされるものである。更に好ましくは、ベクトル和［→ＰＳ］と第１吸収軸との間に形成される角度は、０度である（つまり、ベクトル和［→ＰＳ］と第１吸収軸の方向は平行である）。注意すべきことは、本実施例の１つの配線セグメントＰは、セグメントＰ１、Ｐ２によって構成される場合を例とするが、その他の実施例において、配線セグメントＰは３本、または４本以上のセグメントから構成されることもでき、さらに本発明はこれに限定されるものではない。
【００３８】
再度、図１を参照されたい。タッチ表示装置１はバックライトモジュール１８を更に備え、バックライトモジュール１８は第２基板１２と対向して設置される。バックライトモジュール１８は光線を発し、この光線は液晶表示パネルに入射することによって、液晶表示パネルに画像を表示させる。バックライトモジュール１８は導光板、反射シート及び複数の光学フィルムを有する。バックライトモジュール１８は公知技術であり、当業者は、バックライトモジュール１８の全ての素子機能及び対応する設置関係を理解できるため、ここでは、繰り返して述べない。
【００３９】
図３Ｃを参照されたい。図３Ｃは、本発明の一実施例のタッチ感知構造１３において、一部の配線エリア１３１と駆動感知エリア１３２の概略図である。ここにおいて、図３Ｃでは２つの配線エリア１３１と１つの駆動感知エリア１３２を示したが、駆動感知エリア１３２における駆動電極と感知電極のパターンについては示していない。
【００４０】
実際の実験を通して、タッチ感知構造１３の配線１３１１の前記の配線セグメントＰによって形成されるベクトル和［→ＰＳ］と第１偏光素子１４の第１吸収軸との間に形成される角度を、０度より大きいか等しく、且つ２０度より小さいか等しくすることで、換言すれば、０度から２０度までの範囲とすることで、反射光は第１偏光素子１４を通過した時に更に容易に吸収される。または、各配線セグメントＰの長さを、サブピクセルの第２方向Ｙに沿った幅の３倍値と特定値との間に設定するようにすることで、反射光の方向が特定の方向のみに限定されず、配線セグメントＰからの反射光を、人間の視覚の比較的に敏感でない空間周波数（即ち、より高い空間周波数）に落とすことができる。よって、電極パターン（patterns）とそのスリットＳ（slit。２つの電極の間、または、２つの配線１３１１の間のエリアであり、例えば、図３Ｃに示す符号Ｓを参照できる）の反射光の輝度は、いずれも人間の視覚が判別できる輝度よりも低くすることができるため、タッチ表示装置１が反射光の方向の違いにより引き起こす明暗の縞を見え難くするように改善でき、タッチ感知構造１３の視認性を向上させることができる。
【００４１】
図４を参照されたい。図４は人間の目が空間周波数に対する視覚感度と配線セグメントＰの関係図である。縦軸は視覚感度関数のゲイン（ＣＳＦゲイン）を表し、横軸は、配線セグメントＰの長さを表す。視覚感度関数ゲイン値が高いほど、人間の目が容易にタッチ感知構造１３のパターンを認識することを示し、またタッチ表示装置１の可視性が悪いことを示す。よって、配線セグメントＰの長さを最適に設計するによって、強い光に照射される場合において、タッチ感知構造１３のパターンがはっきり見えてしまう状況を効果的に改善することができる。ゲイン値が１．５より小さい場合は可視性が良いことを示し、人間の目に許容される状況に属する。本発明の構造設計とモアレパターン（moire pattern）の状況を考量すると、本発明の配線セグメントＰの好ましい設計は、配線セグメントＰの長さを、サブピクセルの第２方向Ｙの幅に沿った３倍値と６１７μｍとの間（つまり、３倍のピクセルの長さ＜Ｐ＜６１７μｍ）に設定するようにするものである。そうすることによって、タッチ表示装置１の可視性を改善することができる。
【００４２】
図５Ａから図５Ｃを参照されたい。図５Ａから図５Ｃは異なる実施態様における配線セグメントＰａ、Ｐｂ、Ｐｃの概略図である。図５Ａから図５Ｃにおける点線はそれぞれ前の実施例の配線セグメントＰ（セグメントＰ１、Ｐ２を備える）を表し、実線はそれぞれ本実施例の配線セグメントＰａ、Ｐｂ、Ｐｃを表す。
【００４３】
これらの実施例において、配線セグメントは少なくとも３本の延長方向の異なるセグメントを備える。例えば、図５Ａに示すように、配線セグメントＰａは６本の延長方向の異なるセグメントＰ１〜Ｐ６を備える。また、図５Ｂに示すように、配線セグメントＰｂは６本の延長方向の異なるセグメントＰ１〜Ｐ６を備えるが、配線セグメントＰｂのセグメントＰ１〜Ｐ３の延長方向は、配線セグメントＰａのセグメントＰ１〜Ｐ３の延長方向と異なる。また、図５Ｃに示すように、配線セグメントＰｃは３本の延長方向の異なるセグメントＰ１〜Ｐ３を備える。
【実施例２】
【００４４】
図６を参照されたい。図６は本発明の異なる実施態様におけるタッチ表示装置１ａの概略図である。
【００４５】
前記のタッチ表示装置１と主な異なる所は、タッチ表示装置１ａは光学素子１９を更に備え、光学素子１９は第１偏光素子１４に設置される点である。ここでは、光学素子１９は、例えば、第１偏光素子１４と保護基板１６との間に設置された４分の１波長板（ｑｕａｒｔｅｒ ｗａｖｅ ｐｌａｔｅ、 ＱＷＰ）である。光学素子１９を設置する目的は、仮に、第１偏光素子１４を偏って取り付けたことで、ユーザがサングラスを着けた際に、表示した画像を見ることができない場合に、光学素子１９（直線偏光を円偏光にする）を追加設置して、この状況を改善できるようにすることである。
【００４６】
上述をまとめると、本発明のタッチ表示装置は、タッチ電極パターンの配線の配線セグメントから形成されたベクトル和と第１偏光素子の第１吸収軸との間に形成される角度を、０度より大きいか等しく、且つ２０度より小さいか等しくすることによって、即ち、０度から２０度までの範囲とすることによって、反射光を第１偏光素子に通過させた時、更に吸収しやすくすることができる。また、本発明のタッチ表示装置は、各配線セグメントの長さを、サブピクセルの第２方向に沿った幅の３倍値と特定値との間に設定するようにすることによって、反射光の方向を特定の方向のみに限定させず、配線セグメントからの反射光を人間視覚の比較的に敏感でない空間周波数（即ち、比較的に高い空間周波数）に落とさせることができる。これによって、電極パターンとスリットの反射光の明度や輝度を、いずれも人間の目が判別できる明度や輝度よりも低くすることができるため、タッチ表示装置の反射光の方向が異なることによって引き起こされる明暗の縞を見え難くするように改善でき、タッチ表示装置の可視性を向上させることができる。
【００４７】
上記実施例は例示的なものであって、限定するためのものではない。本発明の技術的思想および範囲から逸脱することなく行われる等価の修正または変更は、いずれも別紙の特許請求の範囲に含まれる。
【産業上の利用可能性】
【００４８】
本発明は以上の如く構成したため、反射光の異なる方向で引き起す明暗の縞を見え難くするように改善することで、可視性を高めることのできるタッチ表示装置を提供し得るものである。
【符号の説明】
【００４９】
１、１ａ  タッチ表示装置
１１    第１基板
１２    第２基板
１３    タッチ感知構造
１３１  配線エリア
１３２  駆動感知エリア
１３１１  配線
１４    第１偏光素子
１５    第２偏光素子
１６    保護基板
１７    制御回路基板
１８    バックライトモジュール
１９    光学素子
Ａ      エリア
ＬＣ    液晶層
Ｐ、Ｐａ、Ｐｂ、Ｐｃ  配線セグメント
Ｐ１〜Ｐ６  セグメント
［→Ｐ１］、［→Ｐ２］  ベクトル
［→ＰＳ］  ベクトル和
Ｒｘ    感知電極
Ｓ      スリット
Ｔｘ    駆動電極
Ｘ      第１方向
Ｙ      第２方向
Ｚ      第３方向
【図１】
2016035744.tif 000003
【図３Ａ】
2016035744.tif 000004
【図３Ｂ】
2016035744.tif 000005
【図３Ｃ】
2016035744.tif 000006
【図４】
2016035744.tif 000007
【図５Ａ】
2016035744.tif 000008
【図５Ｂ】
2016035744.tif 000009
【図５Ｃ】
2016035744.tif 000010
【図６】
2016035744.tif 000011
【図２Ａ】
2016035744.tif 000012
【図２Ｂ】
2016035744.tif 000013